(57)【要約】【課題】簡易かつ低廉に製作でき、しかも安全性が高い認証媒体およびその製作法を提供する。【解決手段】墨汁を水に滴下した際に生ずる流紋や、絵の具を水や油に滴下した際に生ずる流紋をデジタル写真撮影し、その撮像画像を利用してスクリーン印刷により流紋を認証部１１に形成してなるキャッシュカード１０やクレジットカードなどの認証媒体である。ここで、キャッシュカード１０は磁気カードとされてもよい。【選択図】図１
2009137147.tif 000002
【特許請求の範囲】
【請求項１】
認証部を有する認証媒体であって、前記認証部の認証要素が流紋とされてなることを特徴とする認証媒体。
【請求項２】
流紋が色彩を有することを特徴とする請求項１記載の認証媒体。
【請求項３】
流紋に識別記号、識別番号、固有記号または固有番号が付与されていることを特徴とする請求項１記載の認証媒体。
【請求項４】
認証媒体が、キャッシュカード、クレジットカード、乗車券、搭乗券、有価証券またはコインとされてなることを特徴とする請求項１記載の認証媒体。
【請求項５】
認証部を有する認証媒体の製作法であって、
前記認証部に認証要素として流紋を形成する手順
を含むことを特徴とする認証媒体の製作法。
【請求項６】
流紋をデジタル写真撮影した撮像画像を利用して印刷により流紋を形成することを特徴とする請求項５記載の認証媒体の製作法。
【発明の詳細な説明】
【技術分野】
【０００１】
本発明は、認証機能が付与された認証媒体およびその製作法に関する。
【背景技術】
【０００２】
従来より、使用の正当性を認証するため、例えば磁気カード、ＩＣカードなどの認証媒体を用いた認証システムが用いられている。
【０００３】
また、最近になって、指紋、網膜の血管パターン、手や指の静脈パターンなどの生体情報を利用した生体認証による認証システムも用いられるようになってきている。
【０００４】
後者の認証システムにあっては、利用者があらかじめ自身の特徴を機械に登録をしておく必要があるため、例えば銀行や特定の施設などにおいて限られた利用者を対象とした識別には適しているものの、不特定多数の利用者の認証には不適当であるという問題がある。
【０００５】
しかも、生体情報を用いた認証システムにおいては、生体情報が一度盗まれると、その回復が困難であるという問題もある。
【０００６】
これに対し、前者の認証媒体を用いた認証システムであれば、その認証媒体の所持者を、認証媒体内のデータや認証媒体内のデータから導き出されるホストコンピュータ内のデータなどに基づいて認識できるので、例えば保険証、有価証券、各種施設の入場券、交通機関の乗車券や搭乗券など、不特定多数の利用者を対象とした認証に適用できる。
【０００７】
しかしながら、前述した認証媒体のうちＩＣカードは、一枚のカードの中に、識別情報などを記録したＩＣチップと、このＩＣチップにデータを入出力する端子やアンテナなどを組み込んだ複雑な構造を有しており、コストがきわめて高くなるという問題がある。
【０００８】
これに対し、磁気カードは、ＩＣカードに比べて構造が簡単で、より低コストで製造できるものの、記録内容の意図的な改ざんなどが容易であるため、セキュリティの面で問題がある。
【０００９】
かかる従来の認証媒体の問題点を解決すべく、特許文献１には、和紙などに生ずる細孔模様を利用した認証媒体が提案されている。
【００１０】
しかしながら、特許文献１の提案に係る認証媒体は、製作が煩雑でコスト高になるという問題がある。
【特許文献１】特開２００３−２８６６９４号公報
【発明の開示】
【発明が解決しようとする課題】
【００１１】
本発明はかかる従来技術の課題に鑑みなされたものであって、簡易かつ低廉に製作でき、しかも安全性が高い認証媒体およびその製作法を提供することを目的としている。
【課題を解決するための手段】
【００１２】
本発明者は、かかる従来技術の課題に対し鋭意研究した結果、墨汁を水に滴下した際に生ずる流紋や、絵の具を水や油に滴下した際に生ずる流紋は、自然に発生し、しかも同じ模様のものは二度と発生しないので、流紋を認証要素としてカードなど付与すれば、安全性がきわめて高い認証媒体を廉価に製作することができることを見出し、本発明を完成するに至った。
【００１３】
すなわち、本発明の認証媒体は、認証部を有する認証媒体であって、前記認証部の認証要素が流紋とされてなることを特徴とする。
【００１４】
本発明の認証媒体においては、流紋が色彩を有するのが好ましい。
【００１５】
また、本発明の認証媒体においては、流紋に識別記号、進別番号、固有記号または固有番号が付与されているのが好ましい。
【００１６】
一方、本発明の認証媒体の製作法は、認証部を有する認証媒体の製作法であって、前記認証部に認証要素として流紋を形成する手順を含むことを特徴とする。
【００１７】
また、本発明の認証媒体の製作法においては、流紋をデジタル写真撮影した撮像画像を利用して印刷により流紋を形成するのが好ましい。
【００１８】
ここで、認証媒体は、例えば、キャッシュカード、クレジットカード、乗車券、搭乗券、有価証券またはコインなどとされる。
【発明の効果】
【００１９】
本発明の認証媒体においては、認証部の認証要素として自然に生成され、二度と同じ模様が生成されない流紋を用いているので、偽造がきわめて困難であるため、安全性がきわめて高いという優れた効果が得られる。
【発明を実施するための最良の形態】
【００２０】
以下、添付図面を参照しながら本発明を実施形態に基づいて説明するが、本発明はかかる実施形態のみに限定されるものではない。
【００２１】
実施形態１
図1に、本発明の実施形態１に係る認証媒体を示す。つまり、この実施形態１では、認証媒体はキャッシュカードとされている。
【００２２】
キャッシュカード１０は、図１に示すように、表面に認証部１１と識別記号１２とを備えてなるものとされる。
【００２３】
認証部１１は、図２に写真で示すように、流紋を認証要素としてなるものとされる。
【００２４】
流紋をキャッシュカード１０に印刷する手法は、例えば、流紋をデジタル写真撮影して版下を作成し、その版下を用いてスクリーン印刷するという手法とすることができる。ただし、印刷法はスクリーン印刷法に限定されるものではなく、プラスチックに印刷できる印刷法であれば特に限定はない。
【００２５】
認証要素とする流紋としては、例えば、水に墨汁を滴下した時に自然に生ずる模様や攪拌した時に生ずる模様、数色の絵の具を水や油に溶かしたときに自然に生ずる模様や攪拌した時に生ずる模様とすることができるが、絵の具により得られた流紋の方が、色彩による認識機能も有し認識力が高いので好ましい。
【００２６】
この場合、図３に示すように、流紋全体を一個の認識要素として用いるようにしてもよく、あるいは、図４に示すように、流紋を格子状に分割し、流紋全体をマスターとし、その分割された分割体を一個の認識要素とすることもできる。
【００２７】
なお、図３中のＸＸＸＸＸは流紋の固有記号や識別記号を示し、図４中の記号ＹＹＹはマスターの固有記号や識別記号を示し、またハイフン以下の数字は分割体の固有番号を示す。
【００２８】
識別記号１２は、例えば口座番号、発行番号などとされる。この識別記号１２は、例えば押し出し成形やエンボス成形により形成される。
【００２９】
しかして、このキャッシュカード１０の認証は、例えば、ＡＴＭに組み込まれた流紋読取機によりキャッシュカード１０に印刷された流紋を読み取り、その読み取られた流紋をホストコンピュータのデータベースに保存されている流紋データと照合することによりなされる。すなわち、読み取られた流紋が、データベースに保存されている当該カード番号の流紋データに一致すれば正当なものとして認証されその利用が許可される一方、一致しなければ不正なものとしてその利用が拒絶される。
【００３０】
次に、かかる構成とされたキャッシュカード１０の製作について説明する。
【００３１】
手順：水に墨汁などを滴下して模様、つまり流紋を生成させる。
【００３２】
手順：流紋をデジタル写真撮影する。
【００３３】
手順：得られたデジタル写真を元にスクリーン印刷用の版下を作成する。
【００３４】
手順：あらかじめ調整されているキャッシャカード素材の所定位置、例えば右端上部に流紋を前記版下を用いてスクリーン印刷して認証部１１を形成する。
【００３５】
手順：識別記号１２を押し出し成形により突出形成させる。
【００３６】
手順：流紋などが印刷されている表面を透明フィルムによりラミネートして表面の保護を図る。この手順は必要に応じてなされればよく、そのため必ずしも必要とされない。
【００３７】
以上の手順により、認証機能が付与されたキャッシュカード１０が得られる。
【００３８】
このように、実施形態１のキャッシュカード１０は、同一のものが生じることのない流紋を認証要素として用いているので、偽造がきわめて困難であるため安全性がきわめて高い。  
【００３９】
また、その製作はキャッシュカード素材に流紋を印刷することによりなし得るので、製作が簡易でありその制作費も低廉とすることができる。
【００４０】
さらに、流紋はその生成が容易でありしかもその数は無数であるので、紛失や盗難などの際におけるキャッシュカード１０の再発行も容易である。
なお、このキャッシュカード１０を磁気カードとして磁気による暗証番号を付与するようにしてよい。
【００４１】
実施形態２
図５に、本発明の実施形態２に係る認証媒体を示す。つまり、この実施形態２では、認証媒体は乗車券とされている。
【００４２】
乗車券２０は、図５に模式的に示すように、表面全面に流紋（図中、斜線で代用）が下地として印刷され、その上に乗車区間、料金、発行番号が印刷されてなるものとされる。
【００４３】
この場合、流紋は各乗車券２０について同一とされてもよいが、流紋は多数生成させるのが容易なことから、偽造防止を図る観点から流紋は乗車券２０ごとに異なるものとされるのが好ましい。
【００４４】
多数の流紋を乗車券２０に印刷する場合、必要数の流紋のデジタル写真を撮影してそれぞれのデジタル写真から各乗車券２０の流紋を得るようにしてもよく、あるいは、図４に示すように、１つの流紋を複数の流紋分割体に分割し、各分割体をそれぞれ１つの乗車券２０の流紋とするようにしてもよい。
【００４５】
しかして、この乗車券２０の認証は、例えば、自動改札機に組み込まれた流紋読取機により乗車券２０に印刷された流紋を読み取り、その読み取られた流紋をホストコンピュータのデータベースに保存されている流紋データと照合することによりなされる。すなわち、読み取られた流紋が、データベースに保存されている当該乗車券２０に付与されている流紋データに一致すれば正当なものとして認証されてその利用が許可される一方、一致しなければ不正なものとしてその利用が拒絶される。
【００４６】
このように、実施形態２の乗車券２０は、同一のものが生じることのない流紋を認証要素として用いているので、偽造がきわめて困難であるため安全性がきわめて高い。
【００４７】
また、流紋の乗車券２０の素材への下地印刷は通常の下地印刷と同様になし得るので、乗車券２０に流紋を付与することによるコストアップはほとんどない。
【００４８】
なお、前記説明においては、乗車券２０の表面全面に流紋が印刷されるようにされているが、乗車券の表面の一部、例えば右半分に流紋を印刷し、左半分に乗車区間などを印刷するようにしてもよい。
【００４９】
以上、本発明を実施形態に基づいて説明してきたが、本発明はかかる実施形態のみに限定されるものではなく、種々改変が可能である。
【００５０】
例えば、実施形態１ではキャッシュカード１０を例に取り説明されているが、クレジットカードやデパートなどにおけるメンバーカードとすることもできる。
【００５１】
また、実施形態２では乗車券２０を例に取り説明されているが、航空機の搭乗券、有価証券、小切手、手形、紙幣、硬貨、ゲームセンターにおけるコインなどとすることもできる。
【産業上の利用可能性】
【００５２】
本発明は、認証が必要とされるキャッシュカード、乗車券、搭乗券、有価証券、紙幣、硬貨、コインなどに適用できる。
【図面の簡単な説明】
【００５３】
【図１】本発明の実施形態１に係る認証媒体の概略図である。
【図２】同認証媒体の認証部の拡大写真である。
【図３】デジタル写真撮影された流紋の認証要素としての利用法の一例を示す説明図である。
【図４】デジタル写真撮影された流紋の認証要素としての利用法の他の例を示す説明図である。
【図５】本発明の実施形態２に係る認証媒体の概略図である。
【符号の説明】
【００５４】
１０      キャッシュカード
１１      認証部
１２      識別記号
２０      乗車券
【図１】
2009137147.tif 000003
【図３】
2009137147.tif 000004
【図４】
2009137147.tif 000005
【図５】
2009137147.tif 000006
【図２】
2009137147.tif 000007